【手続補正書】
【提出日】平成19年3月29日(2007.3.29)
【手続補正１】
【補正対象書類名】明細書
【補正対象項目名】特許請求の範囲
【補正方法】変更
【補正の内容】
【特許請求の範囲】
【請求項１】  （ａ）液体成分およびポリマー粉体粒子を重合することにより形成されるポリマーマトリックス；および
（ｂ）約１０００ナノメートル未満の平均マトリックス靱帯厚を有する外科用複合材料を製造するための、ポリマーマトリックス中に分散された固体充填剤、
ここで少なくとも該充填剤の一部は重合された液体成分により占有される領域に存在する、
を含有してなる外科用ナノ複合材料。
【請求項２】  ポリマーマトリックスが非生分解性である請求項１記載の外科用ナノ複合材料。
【請求項３】  ポリマーマトリックスがアクリルポリマーを含む請求項２記載の外科用ナノ複合材料。
【請求項４】  ポリマー粉体粒子がプレ重合ポリマー成分を含み、液体成分が液体モノマーを含む請求項１記載の外科用ナノ複合材料。
【請求項５】  プレ重合ポリマー成分が、ポリ（メチルメタクリレート）、ポリ（メチルメタクリレート−コ−スチレン）またはそれらのいずれかの組み合わせであり、モノマーがメチルメタクリレートである請求項４記載の外科用ナノ複合材料。
【請求項６】  ポリマーマトリックスが生分解性である請求項１記載の外科用ナノ複合材料。
【請求項７】  ポリマーマトリックスがポリ乳酸またはポリグリコール酸を含む請求項６記載の外科用ナノ複合材料。
【請求項８】  外科用ナノ複合材料が外科用プレ重合インプラントの形態である請求項１または６記載の外科用ナノ複合材料。
【請求項９】  外科用ナノ複合材料が外科用セメントである請求項１記載の外科用ナノ複合材料。
【請求項１０】  固体充填剤が１０００ナノメートル未満の平均マス直径を有する請求項１記載の外科用ナノ複合材料。
【請求項１１】  （ａ）ポリマーマトリックス；および
（ｂ）約１０００ナノメートル未満の平均マトリックス靱帯厚を有する外科用複合材料を製造するための、ポリマーマトリックス中に分散された液体または気体の充填剤、
を含有してなる外科用ナノ複合材料。
【請求項１２】  （ａ）液体成分およびポリマー粉体粒子を重合することにより形成されるポリマーマトリックス；および
（ｂ）外科用複合材料を製造するための、ポリマーマトリックス中に均一に分散された固体充填剤、
ここで該固体充填剤は、約１０００ナノメートル未満の平均マス直径を有し、少なくとも該充填剤の一部は重合された液体成分により占有される領域に存在する、
を含有してなる外科用ナノ複合材料。
【請求項１３】  固体充填剤が放射線不透過特性を有する請求項１または１２記載の外科用ナノ複合材料。
【請求項１４】  ポリマー粉体粒子中に存在する固体、液体または気体の充填剤をさらに含有してなる請求項１または１２記載の外科用ナノ複合材料。
【請求項１５】  ポリマー粉体粒子が、ポリ（メチルメタクリレート）、ポリ（メチルメタクリレート−コ−スチレン）またはそれらのいずれかの組み合わせを含有してなる請求項１２記載の外科用ナノ複合材料。
【請求項１６】  （ａ）ポリマーマトリックス；および
（ｂ）外科用複合材料を製造するための、ポリマーマトリックス中に分散された液体または気体の充填剤、ここで該充填剤が約１０００ナノメートル未満の平均マス直径を有する、
を含有してなる外科用ナノ複合材料。
【請求項１７】  （ａ）充填剤の凝集を伴うことなく第１前駆体中に充填剤を均一に分散させるのに十分な条件下で、固体充填剤を外科用材料の第１前駆体と混合する工程、
（ｂ）工程（ａ）の混合物を外科用材料の第２前駆体とあわせ、ペーストを形成する工程；ならびに
（ｃ）ペーストを硬化して、それにより外科用ナノ複合材料を形成する工程、
を含む、外科用ナノ複合材料の形成方法。
【請求項１８】  第１前駆体が粉体であり、第２前駆体が液体である、請求項１７記載の方法。
【請求項１９】  第１前駆体がプレ重合ポリ（メチルメタクリレート）であり、第２前駆体がモノマーメチルメタクリレートである請求項１７記載の方法。
【請求項２０】  充填剤が放射線不透過特性を有する請求項１７記載の方法。
【請求項２１】  充填剤が約１０００ナノメートル未満の平均マス直径を有する請求項１７記載の方法。
【請求項２２】  工程（ａ）が真空下または空気以外の雰囲気下で行なわれる請求項１７記載の方法。
【請求項２３】  工程（ａ）の前に、ミキサーに充填剤および第１前駆体を導入する工程をさらに含む請求項１７記載の方法。
【請求項２４】  真空下または空気以外の雰囲気下で、ミキサーに充填剤および第１前駆体が導入される請求項１７記載の方法。
【請求項２５】  工程（ａ）が約３５０ｒｐｍを超える攪拌速度を用いる混合により行なわれる請求項１７記載の方法。
【請求項２６】  （ａ）３５０ｒｐｍより高い攪拌速度で固体充填剤を外科用材料の第１前駆体と混合する工程；
（ｂ）工程（ａ）の混合物を外科用材料の第２前駆体とあわせ、ペーストを形成する工程；ならびに
（ｃ）ペーストを硬化して、それにより外科用材料を形成する工程、
を含む、外科用材料の形成方法。
【請求項２７】  （ａ）液体および界面活性剤中に充填剤を分散させ、乳濁液または懸濁液を形成する工程；ならびに
（ｂ）乳濁液または懸濁液をポリマー前駆体中に混合する工程、
を含む、約１０００ナノメートル未満のマトリックス靱帯厚を有し、ポリマーマトリックスおよび充填剤を含有してなる外科用複合セメントの形成方法。
【請求項２８】  液体セメント前駆体中に約１０００ナノメートル未満の平均マス直径を有する気体充填剤を分散させる工程、ここで分散が変動する圧力下で行なわれる、を含む、約１０００ナノメートル未満のマトリックス靱帯厚を有する外科用複合セメントの形成方法。
【請求項２９】  圧力が真空から大気圧より高い圧力まで変動する請求項２８記載の方法。
【請求項３０】  充填剤およびポリマーマトリックス前駆体を３５０ｒｐｍより高い攪拌速度で混合する工程を含む、外科用ポリマーマトリックスに組み込む際の充填剤の凝集を防止または排除する方法。
【請求項３１】  混合が不活性冷却液の存在下で行なわれる請求項３０記載の方法。
【請求項３２】  （ａ）液体成分およびポリマー粉体粒子を重合することにより形成されるポリマーマトリックス；および
（ｂ）約１０００ナノメートル未満の平均マトリックス靱帯厚を有する外科用複合材料を製造するための、ポリマーマトリックス中に分散された固体充填剤、
ここで少なくとも該充填剤の一部は重合された液体成分により占有される領域に存在する、
を含有してなる骨ナノ複合セメント。
【請求項３３】  （ａ）液体成分およびポリマー粉体粒子を重合することにより形成されるポリマーマトリックス；および
（ｂ）約１０００ナノメートル未満の平均マトリックス靱帯厚を有する外科用複合材料を製造するための、ポリマーマトリックス中に分散された固体充填剤、
ここで少なくとも該充填剤の一部は重合された液体成分により占有される領域に存在する、
を含有してなる骨固定用装置のためのナノ複合材料。
【請求項３４】  （ａ）液体成分およびポリマー粉体粒子を重合することにより形成されるポリマーマトリックス；および
（ｂ）約１０００ナノメートル未満の平均マトリックス靱帯厚を有する外科用複合材料を製造するための、ポリマーマトリックス中に分散された固体充填剤、
ここで少なくとも該充填剤の一部は重合された液体成分により占有される領域に存在する、
を含有してなる外科用インプラントナノ複合材料。
【請求項３５】  （ａ）液体成分およびポリマー粉体粒子を重合することにより形成されるポリマーマトリックス；および
（ｂ）約１０００ナノメートル未満の平均マトリックス靱帯厚を有する外科用複合材料を製造するための、ポリマーマトリックス中に分散された固体充填剤、
ここで少なくとも該充填剤の一部は重合された液体成分により占有される領域に存在する、
を含有してなるナノ複合材料。